(57)【特許請求の範囲】
【請求項１】
軒樋を底部と該底部の両端部より上方にそれぞれ連設される内側壁部と外側壁部とで構成し、外側壁部の上下方向略中央部に軒樋外部側に開口して溝底を水が流れる溝凹所を内部に有する屈曲部を軒樋内部側に凸となるように形成し、外側壁部の屈曲部よりも上部の上半部を上方ほど軒樋内部側に傾斜するように形成し、軒樋継手を底片部と該底片部の両端部より上方にそれぞれ連設される内側壁片部と外側壁片部とで構成し、軒樋継手の端部に軒樋の端部を嵌入接続すると共に軒樋の溝凹所と軒樋継手の内部とを連通した軒樋の接続構造であって、平面視略Ｌ字状をした隅部用軒樋継手を形成し、該隅部用軒樋継手に嵌入接続される軒樋の端部の溝凹所に対応する位置に、該隅部用軒樋継手の内面を流下する水が前記溝凹所に流入するのを阻止する平面視略Ｙ字状をした凸部を形成して成ることを特徴とする軒樋の接続構造。
【請求項２】
軒樋継手の外側壁片部の軒樋の溝凹所に対応する部分に該溝凹所を閉塞しないように開口縁にのみ嵌入される凸曲部を形成して成ることを特徴とする請求項１記載の軒樋の接続構造。
【発明の詳細な説明】
【０００１】
【発明の属する技術分野】
本発明は、軒樋継手にて軒樋を長手方向に接続する軒樋の接続構造に関するものである。
【０００２】
【従来の技術】
従来より、建物の軒先部には軒樋を設けるものであり、軒樋は建物の入隅部や出隅部あるいは直線部において、軒樋継手によって隣接する軒樋の長手方向の端部同士が接続されるものである。
【０００３】
軒樋は、上方に開口する断面が半円弧状あるいは略横向きコ字状をしたものが広く用いられているが、最近は外観を考慮して、軒樋の外側（即ち建物と反対側）の上端部より内側（即ち建物側）斜め上方に延出部を延設したものが用いられている。これは、軒先部の斜め下方に立つ者が建物側の斜め上方の軒先部を見上げた際、軒樋の外側の壁部上端が露出して見えないため、軒樋が軒先部と一体的に構成される構成品のように見えて外観が良くなるものである。そして、軒樋継手も軒樋と同様の形状に形成してあり、この軒樋継手に軒樋の長手方向端部が嵌入されることで軒樋を接続するものである。
【０００４】
ところが、このような軒樋及び軒樋継手にあっては、軒樋及び軒樋継手の外側の壁部の上半部である延出部が内側斜め上方に延設されているため、延設部の外面に落下した雨水は軒樋の内部に入らずに、そのまま軒樋及び軒樋継手の外側の側壁外面を流下して軒樋より滴り落ちてしまうものであった。
【０００５】
【発明が解決しようとする課題】
本発明は上記の点に鑑みてなされたものであり、その目的とするところは、外側の壁部の上半部が内側斜め上方に傾斜した軒樋において、外側の壁部の上半部の外面に落下した雨水が、そのまま軒樋の外側の壁部外面を流下して軒樋より滴り落ちてしまうことなく、この雨水を軒樋継手の内部に排水することのできる軒樋の接続構造を提供することを課題とするものである。
【０００６】
【課題を解決するための手段】
上記課題を解決するために本発明に係る軒樋の接続構造は、軒樋１を底部１１と該底部１１の両端部より上方にそれぞれ連設される内側壁部１２と外側壁部１３とで構成し、外側壁部１３の上下方向略中央部に軒樋１外部側に開口して溝底を水が流れる溝凹所２を内部に有する屈曲部３を軒樋１内部側に凸となるように形成し、外側壁部１３の屈曲部３よりも上部の上半部１３ａを上方ほど軒樋１内部側に傾斜するように形成し、軒樋継手４を底片部４１と該底片部４１の両端部より上方にそれぞれ連設される内側壁片部４２と外側壁片部４３とで構成し、軒樋継手４の端部に軒樋１の端部１ａを嵌入接続すると共に軒樋１の溝凹所２と軒樋継手４の内部とを連通した軒樋１の接続構造であって、平面視略Ｌ字状をした隅部用軒樋継手４ａを形成し、該隅部用軒樋継手４ａに嵌入接続される軒樋１の端部１ａの溝凹所２に対応する位置に、該隅部用軒樋継手４ａの内面を流下する水が前記溝凹所２に流入するのを阻止する凸部６を形成して成ることを特徴とするものである。このような構成とすることで、外側壁部１３の屈曲部３よりも上部の上半部１３ａが内側斜め上方に傾斜した軒樋１において、外側壁部１３の上半部１３ａの外面に落下した雨水等の水が、そのまま軒樋１の外側壁部１３外面を流下して軒樋１より滴り落ちてしまうことがないように、この水を軒樋継手４の内部に排水することが可能となり、またこの時、凸部６を形成したことで、上方に開口した隅部用軒樋継手４ａに雨水等が落下して外側壁片部４３の内側面に水が付着した場合でも、この外側壁片部４３を流下する水が凸部６によって軒樋１の溝凹所２に流入するのを阻止することが可能となる。
【０００７】
また、軒樋継手４の外側壁片部４３の軒樋１の溝凹所２に対応する部分に該溝凹所２を閉塞しないように開口縁にのみ嵌入される凸曲部５を形成することが好ましい。このような構成とすることで、軒樋継手４に軒樋１を嵌入接続する際、凸曲部５と溝凹所２との嵌合によって位置決めが行われると共に確実に固定されるものである。
【０００９】
【発明の実施の形態】
以下、本発明を添付図面に示す実施形態に基づいて説明する。
【００１０】
軒樋１は、略平板状をした底部１１と、この底部１１の内側（即ち建物側）端部より上方に連設される略平板状をした内側壁部１２と、底部１１の外側（即ち建物と反対側）の端部より上方に連設される外側壁部１３とからなる上方に開口した大略コ字状のものである。内側壁部１２の上端部には、断面略ロ字状をした耳部７１が軒樋１内部側に向けて突設してあると共に、耳部７１の上端面には後述する軒樋継手４の係止部８２が係止される被係止部８１が形成してある。
【００１１】
外側壁部１３は、底部１１の外側の端部から軒樋１外部側の斜め上方に若干傾斜して連設され、上下長さは内側壁部１２よりも長い断面略く字状をしたものである。そして、外側壁部１３の上下方向略中央部の略く字の折れ曲がり部分には、軒樋１外部側に開口して溝底を水が流れる溝凹所２を内部に有する屈曲部３を軒樋１内部側に凸となるように形成するものであり、以下に説明する。
【００１２】
屈曲部３は、軒樋１外部側の斜め上方に向けて開口する大略コ字状をしたもので、下側の流水部３１と上側の連設部３２とからなる。流水部３１は、外側壁部１３の下半部１３ｂの上端部より軒樋１内部側に連設される下方に凸となる略く字状をしたもので、連設部３２はこの流水部３１の軒樋１内部側の端部より反対の端部側の斜め上方に向けて連設される平板状をしたものである。このような流水部３１と連設部３２とから屈曲部３が形成されるのであるが、この屈曲部３に囲まれて軒樋１外部側に開口する凹所を溝凹所２とするものである。溝凹所２は、溝底即ち流水部３１の上面部を軒樋１の長手方向に水が流れるようにしたものである。このような屈曲部３の連設部３２の上端部からは、外側壁部１３の上半部１３ａが連設されている。
【００１３】
外側壁部１３の上半部１３ａは、屈曲部３の連設部３２の上端部より軒樋１内部側の斜め上方に向けて連設される略平板状をしたもので、上端部は内側に折り曲げてあると共に、その折り曲げた部分には、断面略ロ字状をした耳部７２が軒樋１内部側に向けて突設してあると共に、耳部７２の上端面には後述する軒樋継手４の係止部８２が係止される被係止部８１が形成してある。
【００１４】
このような軒樋１は軒先部に沿って配置されるのであるが、軒樋１は建物の入隅部や出隅部あるいは直線部において、隣接する軒樋１の長手方向の端部１ａ同士が軒樋継手４によって接続されるものである。本実施形態では軒樋継手４として、建物の入隅部において隣接する軒樋１の長手方向の端部１ａ同士を接続する隅部用軒樋継手４ａについて説明するが、特にこれに限定されず、直線部における軒樋継手や、出隅部における軒樋継手であってもよい。
【００１５】
隅部用軒樋継手４ａは、断面の内形が軒樋１の断面の外形とほぼ同形状となるように形成されるもので、略平板状をした底片部４１と、この底片部４１の内側（即ち建物側）端部より上方に連設される略平板状をした内側壁片部４２と、底片部４１の外側（即ち建物と反対側）の端部より上方に連設される外側壁片部４３とからなる上方に開口した大略コ字状のものである。この隅部用軒樋継手４ａは、平面視において略Ｌ字状をしており、このＬ字のそれぞれの先端部には、軒樋１の長手方向の端部１ａが嵌入接続されるものである。
【００１６】
隅部用軒樋継手４ａの内側壁片部４２と外側壁片部４３との上端部には、上述した軒樋１の内側壁部１２と外側壁部１３とに形成された被係止部８１に係止する係止部８２がそれぞれ形成してある。
【００１７】
隅部用軒樋継手４ａの外側壁片部４３には、嵌入接続される軒樋１の溝凹所２に対応する部分に、この軒樋１の溝凹所２を閉塞しないように該溝凹所２の開口縁にのみ嵌入される外面側が凹み且つ内面側に凸曲した大略コ字状の凸曲部５が屈曲して形成してある。このようにすることで、隅部用軒樋継手４ａに軒樋１の長手方向の端部１ａを嵌入接続する際、凸曲部５と溝凹所２との嵌合によって位置決めが行われると同時に確実に固定されるものであり、また、大略コ字状の凸曲部５を屈曲して形成することで隅部用軒樋継手４ａの外側壁片部４３の外面に模様を形成することができ、軒樋１の溝凹所２と連続した外観となって外観を向上させることができる。
【００１８】
また、隅部用軒樋継手４ａの外側壁片部４３の内側面には、嵌入接続される軒樋１の長手方向の端部１ａの溝凹所２に対応する位置に、この隅部用軒樋継手４ａの外側壁片部４３の内側面を流下する水が軒樋１の溝凹所２に流入するのを阻止する凸部６を形成するものである。
【００１９】
これは、隅部用軒樋継手４ａのそれぞれの端部に嵌入接続される軒樋１の端部１ａの溝凹所２に対応する位置の近傍に、軒樋１の長手方向に直交する方向の凸条をそれぞれ下方に突設し、両方の凸条を連続させて平面視略Ｌ字状の凸部６を形成したり、あるいは前記Ｌ字状に形成した凸部６のコーナーより新たに凸条を突設して略Ｙ字状の凸部６を形成したりするものである。なお、凸部６は本実施形態においては、平面視略Ｌ字状あるいは略Ｙ字状に形成してあるが、特にこれらの形状に限定されるものではない。このように凸部６を形成することで、図３に示すように、屋根Ｙの谷部Ｚを流れた雨水が矢印ニのように上方に開口した隅部用軒樋継手４ａに流下し、外側壁片部４３の内側面に水が落下した場合でも、この外側壁片部４３を流下する水が凸部６によって軒樋１の溝凹所２に流入するのを阻止することができる（図中矢印ハ参照）。
【００２０】
このような隅部用軒樋継手４ａは、建物の入隅部に配置され、両端部にそれぞれ軒樋１の端部１ａが嵌入接続される。そしてこの時、降雨等があった場合には、軒樋１内部側斜め上方に傾斜する軒樋１の外側壁部１３の上半部１３ａの外面に沿って水が流下するが（図中矢印イ参照）、外側壁部１３に屈曲部３を設けて溝凹所２を形成したことにより、外側壁部１３の上半部１３ａを流下する水が溝凹所２に入って溝底即ち屈曲部３の流水部３１上を長手方向端部１ａ側に流れ（図中矢印ロ参照）、隅部用軒樋継手４ａとの接続部分を通って溝凹所２の長手方向端部１ａより隅部用軒樋継手４ａ内部に流下させることができるようになり、軒樋１の外側壁部１３の外面を流下して軒樋１より滴り落ちて軒先部の下方にいる者に降りかかったり見苦しいといったことをなくすことが可能となる。
【００２１】
【発明の効果】
上記のように本発明の請求項１記載の発明にあっては、軒樋を底部と該底部の両端部より上方にそれぞれ連設される内側壁部と外側壁部とで構成し、外側壁部の上下方向略中央部に軒樋外部側に開口して溝底を水が流れる溝凹所を内部に有する屈曲部を軒樋内部側に凸となるように形成し、外側壁部の屈曲部よりも上部の上半部を上方ほど軒樋内部側に傾斜するように形成し、軒樋継手を底片部と該底片部の両端部より上方にそれぞれ連設される内側壁片部と外側壁片部とで構成し、軒樋継手の端部に軒樋の端部を嵌入接続すると共に軒樋の溝凹所と軒樋継手の内部とを連通した軒樋の接続構造であって、平面視略Ｌ字状をした隅部用軒樋継手を形成し、該隅部用軒樋継手に嵌入接続される軒樋の端部の溝凹所に対応する位置に、該隅部用軒樋継手の内面を流下する水が前記溝凹所に流入するのを阻止する平面視略Ｙ字状をした凸部を形成したので、外側壁部を流下する水が溝凹所に入って溝底を流れ、軒樋継手との接続部分を通って溝凹所の端部より軒樋継手内部に流下させることができるようになり、軒樋の外側壁部の外面を流下して軒樋より滴り落ちて軒先部の下方にいる者に降りかかったり見苦しいといったことをなくすことが可能となり、またこの時、凸部を形成したことで、上方に開口した隅部用軒樋継手に雨水等が落下して外側壁片部の内側面に水が付着した場合でも、この外側壁片部を流下する水が凸部によって軒樋の溝凹所に流入するのを阻止することが可能となる。
【００２２】
また請求項２記載の発明にあっては、上記請求項１記載の発明の効果に加えて、軒樋継手の外側壁片部の軒樋の溝凹所に対応する部分に該溝凹所を閉塞しないように開口縁にのみ嵌入される凸曲部を形成したので、軒樋継手に軒樋を嵌入接続する際、凸曲部と溝凹所との嵌合によって位置決めが行われると共に確実に固定されるものであり、また、凸曲部を屈曲して形成することで隅部用軒樋継手の外側壁片部の外面に模様を形成することができて、外観を向上させることが可能となる。
【図面の簡単な説明】
【図１】本発明の一実施形態を示す斜視図である。
【図２】同上の正面図である。
【図３】同上の軒樋の接続構造を用いた軒先部の平面図である。
【符号の説明】
１  軒樋
１１  底部
１２  内側壁部
１３  外側壁部
１３ａ  上半部
２  溝凹所
３  屈曲部
４  軒樋継手
４１  底片部
４２  内側壁片部
４３  外側壁片部
【図１】
0003724388.tif 000002
【図２】
0003724388.tif 000003
【図３】
0003724388.tif 000004